(57)【特許請求の範囲】
【請求項１】
筺体の上面側に設けられ、取引する商品の情報を入力するキーボードと、
前記キーボードの手前側に隣接して水平に設けられ、前記取引中に預かった紙幣および硬貨を載置する吟味台と、
前記吟味台の手前側に設けられ、前記吟味台から移動された前記硬貨を入金する硬貨入金口と、
前記硬貨入金口に隣接して前記吟味台の手前側に設けられ、前記吟味台から移動された前記紙幣を、長辺側を下端部として鉛直方向に立てた状態で投入し、前記紙幣を入金する紙幣入金口と、
を備え、
前記硬貨入金口および前記紙幣入金口の開口部の高さは、前記吟味台の前記上面の高さと同一または前記上面の高さよりも所定の値だけ低く設定され、かつ、
前記硬貨入金口は、
前記吟味台の手前側に隣接して設けられた第１の硬貨入金口と、
前記第１の硬貨入金口および前記吟味台の左側に隣接して設けられた第２の硬貨入金口と、
からなることを特徴とする販売商品売上登録データ処理装置。
【請求項２】
筺体の上面側に設けられ、取引する商品の情報を入力するキーボードと、
前記キーボードの手前側に隣接して水平に設けられ、前記取引中に預かった紙幣および硬貨を載置する吟味台と、
前記吟味台の手前側に設けられ、前記吟味台から移動された前記硬貨を入金する硬貨入金口と、
前記硬貨入金口に隣接して前記吟味台の手前側に設けられ、前記吟味台から移動された前記紙幣を、長辺側を下端部として鉛直方向に立てた状態で投入し、前記紙幣を入金する紙幣入金口と、
を備え、
前記硬貨入金口および前記紙幣入金口の開口部の高さは、前記吟味台の前記上面の高さと同一または前記上面の高さよりも所定の値だけ低く設定され、かつ、
前記硬貨入金口は、前記吟味台の手前側の角に隣接して設けられ、前記吟味台の隣接する２辺に沿ってＬ字状または弧状に形成されていることを特徴とする販売商品売上登録データ処理装置。
【請求項３】
前記所定の値は、２０ｍｍ以下であることを特徴とする請求項１または請求項２記載の販売商品売上登録データ処理装置。
【請求項４】
前記吟味台は、磁石を貼付できる素材で形成されていることを特徴とする請求項１乃至請求項３のいずれか一項記載の販売商品売上登録データ処理装置。
【発明の詳細な説明】
【技術分野】
【０００１】
本発明の実施形態は、ＰＯＳシステムの端末やＥＣＲ(Electronic Cash Register)などの販売商品売上登録データ処理装置に関する。
【背景技術】
【０００２】
現在、スーパーなどの店舗のレジには販売商品売上登録データ処理装置としてＰＯＳ(Point Of Sales)端末およびこの端末に接続された釣銭自動払出装置（釣銭機）が設置されており、買物客との商品取引に広く使用されている。ＰＯＳ端末は、商品に付いたバーコードを読み取るバーコードリーダ、商品の登録キーや取消キーなどの入力キーを有するキーボード、バーコードリーダやキーボードから入力されたデータを表示するディスプレイ、取引内容を印字したレシートを発行するプリンタおよび取引時に買物客から預かった預り金額を確認するための吟味台を備え、在庫管理や売上管理などを自動的に行える装置である。また、釣銭自動払出装置は、硬貨入金口、紙幣入金口、硬貨出金口および紙幣出金口を備え、硬貨入金口および紙幣入金口より投入された貨幣を収納すると共に、ＰＯＳ端末において算出された釣銭金額を受信することで、釣銭金額に応じた払出金種とその枚数を算出して必要金額を払い出す装置である。
【先行技術文献】
【特許文献】
【０００３】
【特許文献１】特開２００８−６５５２０号公報
【発明の概要】
【発明が解決しようとする課題】
【０００４】
しかしながら、このような釣銭自動払出装置では、一取引毎に、キャッシャに対して吟味台上の預り金をそれぞれの入金口へ入金させるという作業を行わせるが、吟味台から入金口まで距離があるため、釣銭機への入金作業において時間と手間とが多くかかって作業が煩雑になるという問題があった。また、預り金の内、特に硬貨の取り扱いに関しては、硬貨を移動させる回数が多いほど、硬貨を取り落としてしまう等の作業ミスを誘発させてしまうという問題があった。
【０００５】
そこで、本発明は、上記従来技術の問題に鑑み、入金作業における作業ミスを低減させつつ、取引時間の短縮化を図れる販売商品売上登録データ処理装置を提供することを目的とする。
【課題を解決するための手段】
【０００６】
本発明の一実施形態に係る販売商品売上登録データ処理装置は、キーボード、吟味台、硬貨入金口および紙幣入金口を備える。キーボードは、筺体の上面側に設けられ、取引する商品の情報を入力する。吟味台は、キーボードの手前側に隣接して水平に設けられ、取引中に預かった紙幣および硬貨を載置する。硬貨入金口は、吟味台の手前側に設けられ、吟味台から移動された硬貨を入金する。紙幣入金口は、硬貨入金口に隣接して吟味台の手前側に設けられ、吟味台から移動された紙幣を、長辺側を下端部として鉛直方向に立てた状態で投入し、紙幣を入金する。また、硬貨入金口および紙幣入金口の開口部の高さは、吟味台の上面の高さと同一または上面の高さよりも所定の値だけ低く設定されている。更に、硬貨入金口は、吟味台の手前側に隣接して設けられた第１の硬貨入金口と、第１の硬貨入金口および吟味台の左側に隣接して設けられた第２の硬貨入金口と、からなる。
【図面の簡単な説明】
【０００７】
【図１】本発明の参考例１に係る販売商品売上登録データ処理装置の全体構成例を示す斜視図。
【図２】図１に示す販売商品売上登録データ処理装置の上面図。
【図３】図１に示す販売商品売上登録データ処理装置の左側面図。
【図４】図１に示す販売商品売上登録データ処理装置への入金作業を説明する図。
【図５】本発明の参考例２に係る販売商品売上登録データ処理装置の全体構成例を示す斜視図。
【図６】図５に示す販売商品売上登録データ処理装置の左側面図。
【図７】本発明の実施形態１に係る販売商品売上登録データ処理装置の全体構成例を示す斜視図。
【図８】図７に示す販売商品売上登録データ処理装置への入金作業を説明する図。
【図９】本発明の実施形態２に係る販売商品売上登録データ処理装置の全体構成例を示す斜視図。
【発明を実施するための形態】
【０００８】
以下、本発明の実施形態について図面を用いて詳細に説明する。
【０００９】
＜参考例１＞
図１は、本発明の参考例１に係る販売商品売上登録データ処理装置１の全体構成例を示す斜視図である。また、図２は、図１に示す販売商品売上登録データ処理装置１の上面図であり、図３は、図１に示す販売商品売上登録データ処理装置１の左側面図である。
【００１０】
これらの図に示されるように、販売商品売上登録データ処理装置１は、バーコードリーダ１１、キーボード１２、キャッシャ用ディスプレイ１３、客用ディスプレイ１４、プリンタ１５、吟味台１６、硬貨入金口２１、紙幣入金口２２、硬貨出金口２３および紙幣出金口２４を備えている。
【００１１】
バーコードリーダ１１は、商品に付いたバーコードを読み取って商品情報を入力する装置であり、装置の背面側にコードで接続されている。キーボード１２は、商品の登録キーや取消キーなどの種々の入力キーを有し、キャッシャがキーを押下することによって取引する商品の情報を入力するための入力装置である。キーボード１２は、下端部分が上端部分に比べて若干低くなるように傾斜して筺体の上面側に設けられている。
【００１２】
キャッシャ用ディスプレイ１３および客用ディスプレイ１４は、バーコードリーダ１１やキーボード１２から入力されたデータや取引内容を表示するための表示装置である。客用ディスプレイ１４は支柱を中心に回転可能であり、図１では表示部分が買物客の通路方向に向けられている。プリンタ１５は、取引内容を印字したレシートを発行する出力装置である。
【００１３】
吟味台１６は、キーボード１２の手前側に隣接して水平に設けられ、取引中に買物客から預かった紙幣および硬貨を載置し、預り金額を確認するための台である。吟味台１６は、磁石を貼付可能な素材を内部あるいは外部に有しており、買物客より預かった紙幣を吟味台１６上に磁石で固定できる。
【００１４】
硬貨入金口２１は、作業中のキャッシャから見て吟味台１６の手前左側に設けられ、吟味台１６から移動された硬貨を入金するための入金口である。紙幣入金口２２は、硬貨入金口２１に隣接して吟味台１６の手前右側に設けられ、吟味台１６から移動された紙幣を入金するための入金口である。硬貨入金口２１および紙幣入金口２２の開口部近傍には、入金指示や入金ボタン（図示省略する）の押下などに応じて開閉し、異物の混入を防止するシャッター機構（図示省略する）が設けられているものとする。また、図３に示されるように、硬貨入金口２１および紙幣入金口２２の開口部の上端部分（Ａ部）の高さは、吟味台１６の上面の高さと同一に設定されている。
【００１５】
硬貨出金口２３は、硬貨入金口２１の手前下側に設けられ、釣銭硬貨や硬貨以外の投入物を釣銭皿上に排出する出金口である。紙幣出金口２４は、紙幣入金口２２の手前下側に設けられ、釣銭紙幣を排出する出金口である。
【００１６】
尚、図示省略しているが、販売商品売上登録データ処理装置１は、各入金口から入金された貨幣（紙幣および硬貨）を搬送する貨幣搬送部、搬送された貨幣を選別する貨幣選別部、選別された貨幣を収納する貨幣収納部、払出指示に応じて貨幣収納部に収納された貨幣を出金口に向けて払い出す貨幣処理機構部等を筐体内に備えている。この貨幣処理機構部によって、キャッシャが貨幣収納部や貨幣処理機構部に触れることなく入出金を行うことが可能になる。この点、商品取引の際にキャッシャが貨幣収納部を筐体から引き出して貨幣の入出金作業を行う必要があるドロワと比較して貨幣を安全に保管できる利点がある。
【００１７】
以下、本参考例に係る販売商品売上登録データ処理装置１を使用した商品取引の流れを説明する。先ず、キャッシャ（レジ担当者）は商品に付いたバーコードをバーコードリーダ１１によって読み取る、あるいはキーボード１２の押下によって商品の金額や種別等の商品情報を入力する。
【００１８】
次に、全ての商品の入力が終了すると、キャッシャ用ディスプレイ１３および客用ディスプレイ１４には取引金額、入力した商品代金の合計と消費税を合算した請求金額を表示する。
【００１９】
次に、キャッシャは買物客からお金（紙幣および硬貨）を預かると、その預り金を吟味台１６に置いて確認した後、硬貨入金口２１および紙幣入金口２２へそれぞれ入金する。図４は、図１に示す販売商品売上登録データ処理装置１への入金作業を説明する図である。ここでは、硬貨Ｃは硬貨入金口２１へ入金し、紙幣Ｐは長辺側を下端部として鉛直方向に立てた状態で紙幣入金口２２へ矢印の向きに投入し、入金することが示されている。
【００２０】
次に、キャッシャがキーボード１２の清算キーを押下すると、預り金額（入金金額）、請求金額および釣銭金額がキャッシャ用ディスプレイ１３および客用ディスプレイ１４に表示される。この際、釣銭がある場合は、装置の内部機構（図示省略）で処理を行い、釣銭を硬貨出金口２３および紙幣出金口２４から出金する。
【００２１】
そして、キャッシャは、取引した商品、釣銭、プリンタ１５から出力されたレシートを買物客に渡し、取引を終了する。
【００２２】
このように、本参考例に係る販売商品売上登録データ処理装置１によれば、キャッシャは吟味台１６に置いた硬貨を手で掴まなくても、手前へ滑らすだけで硬貨入金口２１へ入金可能となる。また、紙幣についても従来のように釣銭機に紙幣の短辺側を押し込むように挿入する必要はなく、吟味台１６の手前に自由落下させる若しくは置くような形式で紙幣入金口２２への入金を容易に行うことができる。このため、入金作業時のミスを防止でき、かつ、入金作業時間の短縮を図ることができる。
【００２３】
＜参考例２＞
図５は、本発明の参考例２に係る販売商品売上登録データ処理装置１の全体構成例を示す斜視図である。また、図６は、図５に示す販売商品売上登録データ処理装置１の左側面図である。尚、図１で付された符号と共通する符号は同一の対象を表すものであるため、説明を省略し、以下では参考例１との相違点について詳細に説明する。
【００２４】
図５および図６に示されるように、本参考例においては販売商品売上登録データ処理装置１の底部から硬貨入金口２１および紙幣入金口２２の上端部分（Ｂ部）までの高さｈ１が吟味台１６の上面までの高さｈ２よりも所定の高さΔｈだけ低くなるように形成されている。Δｈの値が大き過ぎるとキャッシャが吟味台１６から硬貨入金口２１へ硬貨を手で滑り落とす際、硬貨が入金口の外周部分で弾かれて外に落ちてしまう怖れがある。このため、例えば、Δｈの値は、最小の硬貨である１円玉の直径が２０ｍｍ、最大の硬貨である５００円玉の直径が２６．５ｍｍであることを考慮して２０ｍｍ以下あるいは３０ｍｍ以下程度に設定すると好適である。
【００２５】
このように、吟味台１６の上面と硬貨入金口２１および紙幣入金口２２の間に所定の段差を設けることにより、参考例１に比べて吟味台１６上の硬貨をキャッシャが縁の部分で掴み易くなる利点がある。従って、吟味台１６上で買物客からの預かり金を吟味した結果、余分な硬貨があった場合などには、キャッシャは買物客への返却動作を素早く行うことができる。尚、段差は比較的小さく、吟味台１６から各入金口までの距離は参考例１と同様に短いため、硬貨を吟味台１６の手前へ滑らすだけで硬貨入金口２１へ入金可能である。したがって、参考例１と同様、入金作業時のミスを防止でき、かつ、入金作業時間の短縮を図ることができる効果を奏する。
【００２６】
＜実施形態１＞
図７は、本発明の実施形態１に係る販売商品売上登録データ処理装置１の全体構成例を示す斜視図である。尚、図１で付された符号と共通する符号は同一の対象を表すものであるため、説明を省略し、以下では参考例１との相違点について詳細に説明する。
【００２７】
図７および図８に示されるように、本実施形態の販売商品売上登録データ処理装置１の硬貨入金口２１は、吟味台１６の手前側に隣接して設けられた第１の硬貨入金口２１Ａと、第１の硬貨入金口２１Ａおよび吟味台１６の左側に隣接して設けられた第２の硬貨入金口２１Ｂとからなる。第１の硬貨入金口２１Ａおよび第２の硬貨入金口２１Ｂからそれぞれ入金された硬貨は底部に設けられた搬送路（貨幣搬送部）上で統合される。また、第１の硬貨入金口２１Ａおよび第２の硬貨入金口２１Ｂへ入金する硬貨は種別を問わないものとする。
【００２８】
図８は、図７に示す販売商品売上登録データ処理装置１への入金作業を説明する図である。ここでは、吟味台１６に置いていた硬貨Ｃを手前側に滑らせることで第１の硬貨入金口２１Ａに、左横側に滑らせることで第２の硬貨入金口２１Ｂにそれぞれ入金可能であることが示されている。
【００２９】
このように、本実施形態に係る販売商品売上登録データ処理装置１によれば、第２の硬貨入金口２１Ｂが新たに設けられたことにより、参考例１と比べて入金口の面積が大きくなるため、硬貨の入金作業時間の更なる短縮が図れる利点がある。例えば、キャッシャが入金動作を急ぐあまり、硬貨を吟味台１６上で滑らせた際に、他の硬貨を左側に弾いてしまったような場合であっても、第２の硬貨入金口２１Ｂで受け止めることができるため、入金作業時における硬貨の落下を防止できる。尚、図７では第２の硬貨入金口２１Ｂは第１の硬貨入金口２１Ａよりも小さく構成されているが、第２の硬貨入金口２１Ｂを手前側（キャッシャ方向）に拡大し、代わりに第１の硬貨入金口２１Ａの左端部を吟味台１６の左端部に合わせて縮小しても同様に吟味台１６上の硬貨を手前側および左側で受け止めることができるので、任意に設計変更可能である。
【００３０】
＜実施形態２＞
図９は、本発明の実施形態２に係る販売商品売上登録データ処理装置１の全体構成例を示す斜視図である。尚、図７で付された符号と共通する符号は同一の対象を表すものであるため、説明を省略し、以下では実施形態１との相違点について詳細に説明する。
【００３１】
図９に示されるように、本実施形態の販売商品売上登録データ処理装置１の硬貨入金口２１は、吟味台１６の手前側の角に隣接して設けられ、吟味台１６の隣接する２辺に沿ってＬ字状に形成されている。すなわち、本実施形態の硬貨入金口２１は上述した実施形態１における第１の硬貨入金口２１Ａと第２の硬貨入金口２１Ｂを結合させたものに相当する。
【００３２】
このように、本実施形態に係る販売商品売上登録データ処理装置１によれば、実施形態１と同様の作用効果を有するだけでなく、硬貨入金口２１の数が一つだけであるため、開口部近傍に設けるシャッター機構（図示省略）の数も一つだけで済み、実施形態１に比べて実装が容易な利点がある。更に、硬貨入金口２１が吟味台１６の外周部分に沿うように連続して設けられているため、吟味台１６から左斜め下方向に硬貨を滑らせた場合にも入金口の外周部分で硬貨が弾かれることはなく入金可能である。尚、硬貨入金口２１の開口はＬ字状に屈曲して形成されているが、屈曲部分を弧状に形成しても同一の作用効果を奏する。
【００３３】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１…販売商品売上登録データ処理装置
１１…バーコードリーダ
１２…キーボード
１３…キャッシャ用ディスプレイ
１４…客用ディスプレイ
１５…プリンタ
１６…吟味台
２１…硬貨入金口
２１Ａ…第１の硬貨入金口
２１Ｂ…第２の硬貨入金口
２２…紙幣入金口
２３…硬貨出金口
２４…紙幣出金口
【図１】
0005577307.tif 000002
【図２】
0005577307.tif 000003
【図３】
0005577307.tif 000004
【図４】
0005577307.tif 000005
【図５】
0005577307.tif 000006
【図６】
0005577307.tif 000007
【図７】
0005577307.tif 000008
【図８】
0005577307.tif 000009
【図９】
0005577307.tif 000010